(57)【特許請求の範囲】
【請求項１】
ハンドルに取付けられる取付け部材と、この取付け部材に揺動自在に軸支される操作部材と、この操作部材に設けた支持軸と、この支持軸に設けられたベルと、上記操作部材が取付け部材に対して揺動された際に作動されて上記ベルを鳴らす打撃手段とを備えたベル装置。
【請求項２】
上記操作部材は、ベルの少なくとも一部の開口部を覆う操作部を備えていることを特徴とする請求項１に記載のベル装置。
【請求項３】
上記打撃手段は、上記支持軸に回転自在に軸支されてその回転時にベルに衝突してこれを鳴らす打撃部材と、この打撃部材に設けられたギヤと、上記取付け部材に設けられて上記ギヤに連動し、上記操作部材が取付け部材に対して揺動された際に打撃部材を回転させるセグメントギヤとから構成されていることを特徴とする請求項１又は請求項２に記載のベル装置。
【請求項４】
上記打撃部材のギヤと取付け部材のセグメントギヤは、上記操作部材に回転自在に設けられてセグメントギヤに噛合する小ギヤと打撃部材のギヤに噛合する大ギヤとを備えるピニオンを介して連動されていることを特徴とする請求項３に記載のベル装置。
【請求項５】
上記操作部材は、上記取付け部材を取付けた部分のハンドルよりも進行方向後方側で、かつ下方に位置していることを特徴とする請求項１ないし請求項４のいずれかに記載のベル装置。
【発明の詳細な説明】
【０００１】
【発明の属する技術分野】
本発明はベル装置に関し、より詳しくは打撃部材を回転させてベルを鳴らすベル装置の改良に関する。
【０００２】
【従来の技術】
従来一般にベル装置として、ハンドルに取付けられる取付け部材と、この取付け部材に設けたベル用支持軸と、このベル用支持軸に取付けたベルと、上記ベル用支持軸に回転自在に設けられてその回転時に上記ベルを鳴らす打撃部材と、上記取付け部材の外周部に設けた切欠きと、上記取付け部材に揺動自在に設けられてその揺動により上記打撃部材を揺動させるとともに、上記切欠きからレバー部が外部に突出する操作部材とを備えたものは知られている。
【０００３】
【発明が解決しようとする課題】
しかしながら従来のベル装置では、取付け部材の切欠きから外部に突出させた小さなレバー部を操作しなければならなかった。
本発明は上述した事情に鑑み、従来に比較して操作性に優れるベル装置を提供するものである。
【０００４】
【課題を解決するための手段】
すなわち、ハンドルに取付けられる取付け部材と、この取付け部材に揺動自在に軸支される操作部材と、この操作部材に設けた支持軸と、この支持軸に設けられたベルと、上記操作部材が取付け部材に対して揺動された際に作動されて上記ベルを鳴らす打撃手段とを備えたものである。
上述した構成によれば、外部に露出する操作部材自体を操作すればよいので、操作部材の一部分である小さなレバー部を操作しなければならなかった従来に比較して操作性を向上させることができる。
【０００５】
【発明の実施の形態】
以下図示実施例について本発明を説明すると、図１、図２において、ベル装置１は取付け部材２を備えており、この取付け部材２によって自転車のハンドル３に取付けられている。
上記取付け部材２は合成樹脂によって製造されており、ハンドル３を囲繞してこれに連結されるグリップ部４と、該グリップ部４の外周部から自転車の進行方向後方側で、かつ斜め下方に向かって伸びる支持部５とを備えている。そして上記支持部５のほぼ中央部に上記ハンドル３と平行する筒状嵌合部６を形成してあり、またこの筒状嵌合部６よりも先端側に該筒状嵌合部６の同心上と一致させた円弧状のスリット７を形成し、さらに支持部５の先端に上記筒状嵌合部６の同心上と一致させた円弧状のセグメントギヤ８を形成している。
上記取付け部材２のグリップ部４は、図示しないがその一部を切断した進行方向前方側の端部４Ａと進行方向後方側の端部４Ｂとを突き合わせてあり、進行方向後方側の端部４Ｂにナット１０を収容するとともに、進行方向前方側の端部４Ａにボルト１１の頭部を当接させた状態で該ボルト１１のねじ部を上記ナット１０に螺合させて締め付けることにより、グリップ部４を上記ハンドル３に固定している。
【０００６】
上記支持部５の筒状嵌合部６には、操作部材１２の円盤部１２Ａの偏心した位置から図面上の右方に伸びる回転軸１３を嵌合させてあり、これにより該操作部材１２は該回転軸１３を中心として上下方向に揺動することができるようになっている。
また操作部材１２の円盤部１２Ａの中心部分には、上記支持部５のスリット７を貫通するベル用支持軸１４が形成されており、このベル用支持軸１４の末端側には、後に詳述する打撃手段１５の一部を構成する打撃部材１６が回転自在に軸支されるとともに、該ベル用支持軸１４の先端側には、保持部材１７を介してベル１８が取付けられている。
上記保持部材１７は、円盤状の頭部１７Ａと、この頭部１７Ａの左端面から左方に伸びる嵌合部１７Ｂとから構成されており、この嵌合部１７Ｂを上記ベル１８の中央部の貫通孔１８Ａに圧入して貫通させるとともに、この状態の嵌合部１７Ｂを上記ベル用支持軸１４に圧入して嵌合することにより、該保持部材１７を介してベル１８をベル用支持軸１４に取付けている。また上記保持部材１７の内周とベル用支持軸１４の先端部の外周面は軸方向に伸びる細かい溝が形成されており、双方の溝が係合することによりベル用支持軸１４に対して保持部材１７およびベル１８が回転するのを防止している。
上記保持部材１７と打撃部材１６との間には、所定の間隙が形成される一方で、該保持部材１７と打撃部材１６との間には、上記間隙よりも僅かに幅の狭いワッシャ１９が嵌合されており、これにより打撃部材１６が円滑に回転されるとともに、操作部材１２およびベル１８が回転軸１３を中心として円滑に揺動することができるようになっている。なお本実施例では打撃部材１６と支持部材５との間にはワッシャを設けていないが、この部分にワッシャを設けてもよいことは勿論である。
【０００７】
上記打撃部材１６は、筒状部２０の外周の円周方向三等分位置からそれぞれ半径方向外方に伸びる上下各一対の３本の腕２１（１本のみ図示）と、筒状部２０の下端部外周に形成したギヤ２２とを備えている。上下各一対の腕２１のうち、下方の腕２１の先端部に上方に突出する係合突起２１ａを形成してあり、この係合突起２１ａをリング状打ち子２３の貫通孔２３ａ内に遊嵌合させている。これにより上記打ち子２３は、貫通孔２３ａの内径と係合突起２１ａの外径との差分だけ、筒状部２０を中心とする半径方向に出没することができるようになっている。
上記ベル１８はカップ状に形成されて上記打撃部材１６を収容するようになっており、上記打ち子２３に対向するベル１８の内径は、該打ち子２３が筒状部２０を中心とする半径方向外方に突出した状態でも打ち子２３に当接することがない大きさに設定してある。そして上記ベル１８の内周面に半径方向内方に突出する突起１８Ｂを形成してあり、半径方向外方に突出した打ち子２３はその突起１８Ｂに衝突してベル１８を鳴らすことができ、しかも該打ち子２３はその衝突によって半径方向内方に退没しながら、該突起１８Ｂの前面を通過することができるようになっている。
【０００８】
次に、操作部材１２における回転軸１３とベル用支持軸１４とを結ぶ延長線上に形成したピニオン用支持軸２５には、打撃手段１５の一部を構成するピニオン２７を回転自在に貫通させている。このピ二オン２７の小ギヤ２７Ａは、支持部５の先端に形成したセグメントギヤ８に噛合される一方、またピニオン２７の大ギヤ２７Ｂは打撃部材１６のギヤ２２に噛合されている。
また操作部材１２およびベル１８は、通常は操作部材１２自身と支持部５との間に弾装した戻しばね３０によって、図２に示す中立位置、具体的にはベル用支持軸１４がスリット７の中間位置に位置した状態に保持されている。
すなわち、戻しばね３０は筒状嵌合部６の外周に貫通支持される螺旋部３０Ａと、この螺旋部３０Ａに連設されて概略Ｖ字状に伸びるとともに、その中間部分が支持部５の一側と他側に形成した係合部３１に係合する一方、先端部分が操作部材１２の円盤部１２Ａの縁に沿って連設した操作部１２Ｂに弾接する端部３０Ｂとを備えている。それにより図示非作動状態から上記操作部材１２を押し下げる操作を行なえば、操作部材１２を戻しばね３０の弾発力に抗して押し下げることができ、またその操作を解除した際には戻しばね３０の弾発力によって操作部材１２を図示非作動位置に復帰させることができるようになっている。
なお操作部材１２の操作部１２Ａは、取り付け部材２の支持部５との干渉を回避するために支持部５側を一部切欠いてある。
【０００９】
以上の構成によれば、上記操作部材１２の操作部１２Ｂに指を掛けて下方に押し下げて操作すれば、取付け部材２に対して操作部材１２およびベル１８が回転軸１３を中心として下方に揺動されるので、これにより取付け部材２のセグメントギヤ８に噛合したピニオン２７を介して打撃部材１６を回転させることができる。そして打撃部材１６が回転されれば、腕２１に設けた打ち子２３が遠心力で半径方向外方に突出するので、該打ち子２３をベル１８の突起１７Ｂに衝突させて該ベル１８を鳴らすことができる。
また上記操作部１２Ｂに加えた上記操作力を解放すれば、操作部材１２およびベル１８は戻しばね３０の弾発力により上方に向けて揺動するので、これにより打撃部材１６が逆方向に回転されて、上述したのと同様にしてベル１８を鳴らすことができる。
したがって、取付け部材の切欠きから外部に突出させた操作部材の一部分であるレバー部を操作しなければならなかった従来に比較して、本実施例では操作部材１２自体が取付け部材２の外部に露出し、しかも操作力を加える操作部１２Ｂをベル１８の開口部をほぼ囲むように設けているので、従来に比較して優れた操作性を得ることができる。
そしてまた本実施例では、操作部材１２およびベル１８をハンドル３よりも進行方向後方側に設けるとともに、該操作部材１２およびベル１８を該ハンドル３の取付け部分よりも下方に位置させているので、ベル装置１を予めた図示した状態に本締めした状態で運搬することができる。
すなわち従来では、ベルがハンドルの取付け部分よりも上方に突出する構成であったために運搬時にベルが傷つき易いといった問題があった。このため運搬時にはベルをハンドルの下方に位置させた状態で仮締めしてベルが傷つくのを防止していたが、本実施例によればベル装置１を予め本締めした状態で運搬することができるので、従来に比較して仮締めの手間を省くことができる。
なお上記操作説明では、操作部材１２およびベル１８を下方に押し下げて操作するようにしていたが、上方に持上げてもよいことは勿論である。
【００１０】
なお上記実施例では、操作部１２Ｂをベル１８の開口部の３／４程度を囲むように設けていたがこれに限定されるものではなく、図２におけるベル用支持軸１４とピニオン用支持軸２５とを結ぶ延長線上よりも上方部分だけを残すようにしてもよいし、また図示しないがベル用支持軸１４とピニオン用支持軸２５の延長線上付近に限定して円盤部１２Ａの縁に沿って円弧状および／または円盤部１２Ａの半径方向外方に伸びる突起状の操作部を設けてもよい。
【００１１】
また上記実施例では、支持部５のセグメントギヤ８と打撃部材１６のギヤ２２とをピニオン２７を介して連動させていたがこれに限定されるものではなく、セグメントギヤ８とギヤ２２とを直接連動させる構成としてもよい。
【００１２】
【発明の効果】
以上のように、本発明によれば、従来に比較してベル装置の操作性を向上させることができるという効果が得られる。
【図面の簡単な説明】
【図１】本発明の第１実施例を示す断面図。
【図２】取付け部材２および操作部材１２の右側面図。
【符号の説明】
１…ベル装置            ２…取付け部材
３…ハンドル            １２…操作部材
１２Ｂ…操作部          １５…打撃手段
１８…ベル
【図１】
0004406987.tif 000002
【図２】
0004406987.tif 000003